(57)【要約】【課題】汗取り効果を高めるとともに、簡単な操作で確実に装着し、手軽に取り外して洗濯することができる汗取用の枕カバーを提供する。【解決手段】汗取用の枕カバーにおいて、吸収した水分を拡散させる拡散性を有する吸水シート１と、吸水シート１に接合された防水シート２とを備え、防水シート２の外側表面に滑り止め層３を形成した。滑り止め層３は防水シートの外側表面に固着させた綿材に粘着性を有する樹脂（合成ゴム系の樹脂とアクリル系の合成樹脂との混合物）を含浸塗布したである。吸水シート１の外側表面に起毛部４を有し、吸水シート１、防水シート２及び滑り止め層３は、少なくともシートの周縁部１ａ，２ａ，３ａで溶着してある。【選択図】図２
2009195322.tif 000002
【特許請求の範囲】
【請求項１】
汗取り用の枕カバーにおいて、吸収した水分を拡散させる拡散性を有する吸水シートと、該吸水シートに接合された防水シートとを備え、該防水シートの外側表面に滑り止め層を形成したことを特徴とする枕カバー。
【請求項２】
前記滑り止め層は、前記防水シートの外側表面に固着させた綿材に粘着性を有する樹脂を含浸塗布した層であることを特徴とする請求項１に記載の枕カバー。
【請求項３】
前記樹脂は、合成ゴム系の樹脂とアクリル系の合成樹脂との混合物であることを特徴とする請求項２に記載の枕カバー。
【請求項４】
前記吸水シート及び防水シートは、少なくともシートの周縁部で溶着してあることを特徴とする請求項１から３のいずれか１項に記載の枕カバー。
【請求項５】
前記吸水シートは外側表面に起毛部を有することを特徴とする請求項１から４のいずれか１項に記載の枕カバー。
【請求項６】
前記吸水シート及び防水シートは略長方形であることを特徴とする請求項１から５のいずれか１項に記載の枕カバー。
【発明の詳細な説明】
【技術分野】
【０００１】
本発明は、睡眠中に発生する汗を吸い取り、発散させるために使用する汗取り用の枕カバーに関する。
【背景技術】
【０００２】
汗取り用の枕カバーに関連して、従来、洗髪後の濡れた毛髪の水分が枕に付着するのを防止するために、高吸水性ポリマーを含む吸水性シートを防水性シート（ポリエチレンフィルム）の上に積層した積層シートで構成され、防水性シートの外面に粘着テープ、ファスナー等の止着部を備えた枕カバー、及び、サラッとした肌ざわりを維持するために吸水性シートの上にさらに液透過性の多孔性ポリエチレンフィルムを積層した枕カバーが公知である（特許文献１参照）。
また、表面側が綿状パルプ、吸水ポリマー等の吸水性部材に形成され、裏面側がポリエチレンフィルム等の防水性部材に形成され、綿布からなるカバー本体の裏面の袋内に収容し、又はポリエチレン不織布からなるカバー本体の裏面に貼着して保持し、カバー本体の周縁部に備えた紐、ファスナー等により枕に取り付けるように構成した吸水性シート付き枕カバーが公知である（特許文献２参照）。
【特許文献１】特開平１０−１６５２７９号公報
【特許文献２】特開２００２−３０６３０１号公報
【発明の開示】
【発明が解決しようとする課題】
【０００３】
特許文献１に記載の吸水性シート及び特許文献２に記載の吸水性部材は共に吸水性を主たる機能とするので、吸収した汗（水分）の発散が十分ではなく、汗が吸水性シート及び吸水性部材に溜まり、汗取り効果が低下するおそれがある。また、特許文献１に記載の枕カバーでは、睡眠中の人の頭と吸水性のシート表面との間に部材（綿布又はポリエチレン不織布）が介在するので、発生した汗の通過が該介在部材によって妨げられ、汗の吸収効果が低下する不利がある。さらに、特許文献１及び２に記載の枕カバーでは、枕への取り付けには、粘着テープを張り付ける、紐で結ぶ、ファスナーをとめる等の面倒な操作が必要となる。
【０００４】
本発明は、上述したような事情に鑑みてなされたものであり、汗取り効果を高めるとともに、簡単な操作で枕に装着でき、手軽に取り外して洗濯することができる汗取り用の枕カバーを提供することを目的とする。
【０００５】
また本発明は、枕への装着に好適な材料を有する汗取り用の枕カバーを提供することを他の目的とする。
【０００６】
また本発明は、使用時に安定な状態を維持し、取り扱いが容易な汗取り用の枕カバーを提供することを他の目的とする。
【０００７】
また本発明は、使用時にソフトな肌触りを与える汗取り用の枕カバーを提供することを他の目的とする。
【０００８】
また本発明は、枕の形状に適合し、枕に対して好適に装着使用することができる汗取り用の枕カバーを提供することを他の目的とする。
【課題を解決するための手段】
【０００９】
第１の発明に係る汗取用の枕カバーは、吸収した水分を拡散させる拡散性を有する吸水シートと、該吸水シートに接合された防水シートとを備え、該防水シートの外側表面に滑り止め層を形成したことを特徴とする。
第１の発明においては、枕の上側曲面に沿わせるようにして、防水シートの外側表面に形成した滑り止め層を枕の表面に押し当てることにより、滑り止め層が枕の表面に引っ掛かり汗取用の枕カバーが枕に装着される。睡眠中の人の頭から発生した汗は吸水シートの外側表面から直接吸収され、防水シートによって枕への通過を阻止されながら吸水シートによって拡散され、蒸発する。枕カバーを引っ張ることにより、枕の表面に付いている滑り止め層をはがすことができ、枕カバーが取り外される。
【００１０】
第２の発明に係る汗取用の枕カバーは、前記滑り止め層は、前記防水シートの外側表面に固着させた綿材に粘着性を有する樹脂を含浸塗布した層であることを特徴とする。
第２の発明においては、綿材に含浸塗布された樹脂が有する粘着性と、綿材が形成する表面の凹凸とにより、枕の表面に対する滑り止め作用を発揮する。
【００１１】
第３の発明に係る汗取用の枕カバーは、前記樹脂は、合成ゴム系の樹脂とアクリル系の合成樹脂との混合物であることを特徴とする。
第３の発明においては、合成ゴム系の樹脂によって緩和されたアクリル系の合成樹脂の粘着性と、合成ゴム系の樹脂が有する柔軟性とにより、枕の表面に対して適度の滑り止め作用を発揮する。
【００１２】
第４の発明に係る汗取用の枕カバーは、前記吸水シート及び防水シートは、少なくともシートの周縁部で溶着してあることを特徴とする。
第４の発明においては、吸水シート及び防水シートがシートの周縁部で溶着してあるので両シートの一体性が高まり、枕へ装着がし易く、枕カバーに載っている頭が動いた場合でも両シートのずれが発生しにくい。
【００１３】
第５の発明に係る汗取用の枕カバーは、前記吸水シートは外側表面に起毛部を有することを特徴とする。
第５の発明においては、汗取用の枕カバーに頭を載せた場合に、吸水シートの外側表面が有する起毛部が頭に当たるので、枕カバーとの接触が柔らかくなる。
【００１４】
第６の発明に係る汗取用の枕カバーは、前記吸水シート及び防水シートは略長方形であることを特徴とする。
第６の発明においては、略長方形の吸水シート及び防水シートを備えた汗取用の枕カバーをシートの長辺方向に折り曲げて枕の表面に良好に装着することができる。
【発明の効果】
【００１５】
第１の発明に係る汗取用の枕カバーによれば、吸水シートが睡眠中の人の頭から発生した汗を直接吸収し拡散させ、蒸発させるので汗取り効果が高い。防水シートの外側表面の滑り止め層を枕の表面に押し当てるだけで装着することができる。使用後、枕の表面に付いている滑り止め層をはがして汗取用の枕カバーを取り外し、洗濯することができる。
従って、汗取り効果を高めるとともに、簡単な操作で確実に装着することができ、使用により汗がついて汚れた場合に、手軽に取り外して洗濯することができる汗取用の枕カバーが提供される。
【００１６】
第２の発明に係る汗取用の枕カバーによれば、防水シートの外側表面に固着させた綿材に粘着性を有する樹脂を含浸塗布した滑り止め層が枕の表面に対して有効な滑り止め作用を発揮するので、枕への装着に好適な材料を有する汗取用の枕カバーが提供される。
【００１７】
第３の発明に係る汗取用の枕カバーによれば、防水シートの外側表面に固着させた綿材に合成ゴム系の樹脂とアクリル系の合成樹脂との混合物を含浸塗布した滑り止め層により、粘着性と柔軟性とが良好にバランスして適度の滑り止め作用を発揮するので、滑り止め層に好適な具体的材料を有する汗取用の枕カバーが提供される。
【００１８】
第４の発明に係る汗取用の枕カバーによれば、接合された両シートはシート同士のずれが発生しにくいので、使用時に安定な状態を維持し、取り扱いが容易な汗取用の枕カバーが提供される。
【００１９】
第５の発明に係る汗取用の枕カバーによれば、汗取用の枕カバーの使用時に、人の頭に対してソフトな肌触りを与える汗取用の枕カバーが提供される。
【００２０】
第６の発明に係る汗取用の枕カバーによれば、シートの長辺方向に折り曲げて枕の表面に好適に装着使用することができる汗取用の枕カバーが提供される。
【発明を実施するための最良の形態】
【００２１】
以下、本発明に係る汗取用の枕カバーの実施の形態について、図面に基づいて説明する。
図１は本発明に係る汗取用の枕カバーを示す平面図、図２は図１のＩＩ−ＩＩ線における断面図である。
【００２２】
本発明に係る汗取用の枕カバーは、吸収した水分を拡散させる拡散性を有する吸水シート１と、該吸水シート１に後述の熱溶着により接合された防水シート２とを備えている。吸水シート１及び防水シート２は、略長方形であり、４角部が円弧状に丸くなっている。吸水シート１は吸水性及び拡散性に優れ、その結果、速乾性を有する繊維、具体的には、旭化成せんい株式会社製のポリエステル繊維；商品名テクノファイン（登録商標）を使用している。テクノファインは、特殊なＷ型繊維構造による細かい溝が水分をすばやく吸い上げ、吸った水分をすばやく拡散させて乾燥させるため、多量の水分を吸収してもべたつきにくく速乾性に優れる。
【００２３】
吸水シート１は外側表面及び内側表面に起毛部４を有する。該起毛部４は吸水シート１の材料であるポリエステル繊維にポリウレタン繊維を組み合わせたツーウェイ（２ＷＡＹ）トリコットにて作製してある。吸水シート１は両側の起毛部４を含めて約２ｍｍ程度の厚さを有する。図示はしないが、吸水シート１の外側表面には動物などの絵柄が描かれている。また、起毛部４は少なくとも吸水シート１の外側表面に設けてあればよい。
【００２４】
防水シート２は防水性を有するポリエステル繊維である。防水シート２は、熱可塑性繊維であるポリエステル繊維を互いにからませて集合してなる薄肉（約０．１ｍｍ程度の厚さ）の不織布からなり、適度の撓み性を有する。ただし、防水シート２の材料としては、ポリエステル繊維以外の繊維、又は合成樹脂のフィルムでもよい。
【００２５】
防水シート２の外側表面には滑り止め層３を形成している。滑り止め層３は、防水シート２の外側表面に固着させた綿材に粘着性を有する樹脂を含浸塗布した層である。綿材の材料はＰＥＴ（ポリエチレンテレフタレート）を使用し、含浸塗布させる樹脂は、合成ゴム系の樹脂とアクリル系の合成樹脂との混合物である。具体的な処方例としては、先ず、防水シート２（ポリエステル繊維）の外側表面に対して、ＰＥＴ綿（ＰＥＴ１００％、目付：２００ｇ／ｍ2 ）をニードルパンチ加工により固着させる。次に、アクリル樹脂とＭＢＲ（メチルメタアクリレートブタジエンラバー）樹脂とを１０：９０の比で混合し、微量の発泡剤を加えて均一に攪拌混合したもの（エマルジョン）をＰＥＴ綿が固着された防水シート２の外側表面に塗布し（樹脂目付：７０ｇ／ｍ2 ）、乾燥させる。
【００２６】
このようにＭＢＲ樹脂の配合量を多くすることにより、アクリル樹脂が多い場合には粘着性（タック）が強くなり過ぎるのを抑制し、ＭＢＲ樹脂の柔軟性とアクリル樹脂の粘着性との組み合わせによる適度の滑り止め効果が得られる。また、綿材により表面に凹凸が形成されることによる滑り止め効果も得られる。アクリル系の合成樹脂は、例えば、粘着性の強いアクリル酸エステル共重合体及び熱可塑性繊維と良好に相溶するメチルメタアクリレートブタジエン共重合体を主成分とする。合成ゴム系の樹脂は、ＭＢＲの他に、ＳＢＲ（スチレンブタジエンラバー）、ＮＢＲ（ニトリルゴム）等でもよい。綿材の材料は、ＰＥＴの他に、ＰＥＳ（ポリエステル）でもよい。
【００２７】
吸水シート１、防水シート２及び滑り止め層３は、シートの周縁部１ａ，２ａ，３ａの全周で熱溶着してある。さらに、両シート１，２及び滑り止め層３の中央部には、相似形で同心の大小２つの菱形（４角部は円弧状に丸めてある）を描くように線状の熱溶着部１ｂ，２ｂ，３ｂを有している。該２つの菱形は、長い方の対角線をシート１，２の長辺と平行な方向に向けている。以上の各熱溶着部分の幅は１ｍｍ程度で同一である。
【００２８】
図３は本発明に係る汗取用の枕カバーを枕１０に装着した状態を示す断面図、図４は本発明に係る汗取用の枕カバーの使用状態を示す断面図である。いずれも滑り止め層３が枕１０の表面に当接するように装着し、吸水シート１の外側表面の起毛部４に睡眠中の人の頭が当たる状態で使用する。
【００２９】
前述の実施の形態では、滑り止め層３を防水シート１の外側表面に固着させた綿材に粘着性を有する樹脂を含浸塗布した層にて構成したが、これ以外の材料を用いて構成してもよい。要するに、本発明に係る枕カバーを枕１０の上面部に押し当てて載せた状態において枕に対して位置ずれし難い材料、表面状態からなる滑り止め層３であればよい。
【００３０】
前述の実施の形態では、吸水シート１の材料として特定の商品名のポリエステル繊維、テクノファイン（登録商標）を使用したが、これ以外の吸水性及び拡散性（速乾性）に優れた各種合成繊維材料を使用してもよい。
【図面の簡単な説明】
【００３１】
【図１】本発明に係る汗取用の枕カバーを示す平面図である。
【図２】図１のＩＩ−ＩＩ線における断面図である。
【図３】本発明に係る汗取用の枕カバーを枕に装着した状態を示す断面図である。
【図４】本発明に係る汗取用の枕カバーの使用状態を示す断面図である。
【符号の説明】
【００３２】
１    吸水シート
１ａ  周縁部
２    防水シート
２ａ  周縁部
３    滑り止め層
３ａ  周縁部
４    起毛部
１０  枕
【図１】
2009195322.tif 000003
【図２】
2009195322.tif 000004
【図３】
2009195322.tif 000005
【図４】
2009195322.tif 000006